(57)【特許請求の範囲】
【請求項１】
筐体と、この筐体内に収納され湯水を貯える貯湯タンクとを備えた貯湯タンクユニットにおいて、
一端側が貯湯タンクに固着され、他端が上記筐体の下面よりも下方に突出する３本の主脚と、
上記筐体の下面から下方へ突出する長さが上記主脚の突出長さよりも小さく形成され、かつ上記３本の主脚を結んで形成される三角形の外側に位置する補助脚と、
を備え、
上記主脚の底部にはアンカーボルトのねじ軸部を挿通させる挿通孔を有することを特徴とする貯湯タンクユニット。
【請求項２】
上記補助脚は、その一端側が上記貯湯タンクに固着されていることを特徴とする請求項１記載の貯湯タンクユニット。
【請求項３】
上記主脚は、正三角形の各頂点に位置するように配置され、上記補助脚は、上記主脚が形成する三角形の各辺の垂直２等分線上に位置するように配置されていることを特徴とする請求項１または２記載の貯湯タンクユニット。
【請求項４】
上記主脚は、そのうちの１本が上記筐体の正面側の幅方向中央部に位置し、他の２本が上記筐体の背面側の幅方向両端側に位置するように配置され、
上記補助脚は、前記筐体の正面側に配置された主脚の両側にそれぞれ配置されていることを特徴とする請求項１または２記載の貯湯タンクユニット。
【発明の詳細な説明】
【技術分野】
【０００１】
本発明の実施形態はヒートポンプ給湯機や電気温水器等の貯湯タンクユニットに関する。
【背景技術】
【０００２】
一般に、電気温水器は、例えば夜間割引の安価な電力により、貯湯タンク内に配設された電気ヒータを通電加熱することにより貯湯タンク内の貯水を所要温度に加熱し、その温水を貯湯タンク内に貯湯する。
【０００３】
また、電気ヒータに代えてヒートポンプ（冷凍サイクル）を用いたヒートポンプ給湯機は、例えば夜間割引の安価な電力等により、冷凍サイクルを駆動して貯湯タンク内の貯水を所要温度に加熱し、その温水を貯湯タンク内に貯湯する。
【０００４】
このヒートポンプ給湯機は、冷凍サイクルにより貯水を加熱するので、電気ヒータによる加熱よりもエネルギ効率がよく、電気入力に対する成績係数（ＣＯＰ）は３倍以上確保することが可能であり、ランニングコストの低減を図ることができる。
【０００５】
この種の従来の貯湯タンクでは、円筒状のタンクの底面に３本の支持脚を設け、この支持脚を、コンクリート製等の据付面にアンカーボルト等により固定して据え付けている（特許文献１参照）。
【先行技術文献】
【特許文献】
【０００６】
【特許文献１】特開２００９−６３２７７号公報
【発明の概要】
【発明が解決しようとする課題】
【０００７】
しかしながら、上記特許文献１記載の貯湯タンクでは、支持脚が３本であるので、荷扱い時や据付時に自立させたときに、３本の支持脚を結んで形成される三角形のいずれか１辺方向に変位荷重を受けて傾動した場合には、貯湯タンクが重い（例えば満水時で５００〜７００ｋｇ）ので、転倒する虞がある。
【０００８】
本発明は、このような事情を考慮してなされたもので、その目的は、転倒防止を図ることができる貯湯タンクユニットを提供することにある。
【課題を解決するための手段】
【０００９】
本実施形態の貯湯タンクユニットは、筐体と、この筐体内に収納され湯水を貯える貯湯タンクとを備えた貯湯タンクユニットにおいて、一端側が貯湯タンクに固着され、他端が筐体の下面よりも下方に突出する３本の主脚を有する。この３本の主脚の底部には、アンカーボルトのねじ軸部を挿通させる挿通孔が設けられている。
【００１０】
また、筐体の下面から下方へ突出する長さが主脚の突出長さよりも小さく形成され、かつ３本の主脚を結んで形成される三角形の外側に位置する補助脚と、を備えている。
【図面の簡単な説明】
【００１１】
【図１】第１の実施形態に係る貯湯タンクユニットの底面図。
【図２】同貯湯タンクユニットの正面図。
【図３】同貯湯タンクユニットの底面側を仰視したときの仰視図。
【図４】同貯湯タンクユニットの側面図。
【図５】図４のＶ部拡大図。
【図６】同貯湯タンクユニットの分解斜視図。
【図７】同貯湯タンクに配設した主脚、補助脚および筐体の底板の斜視図。
【図８】第２の実施形態に係る貯湯タンクユニットの底面図。
【図９】第３の実施形態に係る貯湯タンクユニットの主脚と補助脚の要部拡大図。
【発明を実施するための形態】
【００１２】
以下、本発明の実施形態を図面に基づいて説明する。なお、複数の図面中、同一または相当部分には同一符号を付している。
【００１３】
（第１の実施形態）
図１は、第１の実施形態に係る貯湯タンクユニットの底面図、図２は同貯湯タンクユニットの正面図、図３は同貯湯タンクユニットの底面側を仰視したときの仰視図、図４は同貯湯タンクユニットの側面図、図５は図４のＶ部拡大図、図６は同貯湯タンクユニットの分解斜視図である。この貯湯タンクユニット１は例えばヒートポンプ給湯機に用いられるものであって、これらの図に示すように貯湯タンクユニット１は、例えば板金製角筒状の筐体２と、この筐体２内に収容されるステンレス等金属製円筒状の貯湯タンク３とを具備している。
【００１４】
図６に示すように、筐体２は、板金製の正面板２ａ、同，左右一対の側板２ｂ，２ｃ、同，背面板２ｄ、同，天板２ｅおよび底板２ｆを有する。さらに、正面板２ａは上部正面板２ａ１と下部正面板２ａ２とに分割されている。左右一対の側板２ｂ，２ｃは、その図６中、上端と左右両側端に、内方へほぼ直角に折曲形成された取付代Ｐを形成している。同じく、天板２ｅの正面側と背面側の外縁部に所要の取付代Ｒをそれぞれ形成し、これら取付代Ｐ，Ｒには図示省略の複数の取付ねじをねじ込むためのねじ孔をそれぞれ形成している。
【００１５】
一方、図６に示すように、底板２ｆは、その矩形外周縁部の各辺に、図中上方へ若干立ち上がる矩形環状の側壁２ｆ１を形成しており、この側壁２ｆ１の内側にて、底板２ｆ上に、下部正面板２ａ２、一対の側板２ｂ，２ｃおよび背面板２ｄを角筒状に載置し、一対の側板２ｂ，２ｃの各取付代Ｐの複数のねじ孔内に取付ねじをそれぞれねじ込むことにより、まず、上端開口の角筒状に組み付けている。この後、下部正面板２ａ２の上端上に、上部正面板２ａ１を載置し、この上部正面板２ａ１の左右両側面を、左右一対の側板２ｂ，２ｃの取付代Ｐの上部側面に密着させ、この取付代Ｐの複数のねじ孔に取付ねじをねじ込み、組み付けている。こうして角筒状に形成された上面開口端上には天板２ｅが載置され、天板２ｅの取付代Ｒの複数のねじ孔内に取付ねじをそれぞれねじ込み、有蓋有底の角筒状の筐体２を形成する。
【００１６】
貯湯タンク３は、その内部に、例えば水道水等の水が給水され、貯湯タンク３内の水は、貯湯タンクユニット１とは別に設けられた図示しないヒートポンプユニットで加熱される。このヒートポンプユニットで加熱された温水は貯湯タンク３内に貯湯される。貯湯タンク３は、正面板２ａの内面に対向する正面側の外面に、水路部品４、電気部品箱５および制御弁等に給電する給電線等の配線を配設している。
【００１７】
水路部品４は、例えば水道水を貯湯タンク３内に給水する給水管や、貯湯タンク３内の湯水を図示省略の給水端末に給湯する給湯管を含む。電気部品箱５は、通電を制御する図示しない制御装置や操作盤等の電気部品を具備している。
【００１８】
このように貯湯タンク３の正面側は、水路部品４や電気部品箱５が配設されているので、その分、正面以外の左右側面側や背面側よりも重くなっている。
【００１９】
そして、図７に示すように貯湯タンク３は、その下部外面に、３本の主脚６，７，８の一端である図中上端と、３本の補助脚９，１０，１１の一端である図中上端とを、取付部材１２，１２，…によりそれぞれ固着している。
【００２０】
主脚６，７，８は、例えば横断面Ｌ形の型鋼により形成された上部主脚６ａ，７ａ，８ａと、これら上部主脚６ａ，７ａ，８ａと上下方向に重なるように形成され、横断面コ字形で側方の１面が開口した下部主脚６ｂ，７ｂ，８ｂとを有する。各下部主脚６ｂ，７ｂ，８ｂは、その開口を正面側に向けて開口させている。
【００２１】
すなわち、各上部主脚６ａ，７ａ，８ａは、その一端（図７では上端）を、取付部材１２，１２，１２により貯湯タンク３の下部外周面に固着している。
【００２２】
各上部主脚６ａ，７ａ，８ａは、その図中下端に、例えば矩形平板状の取付フランジ１３，１３，１３を溶接等により固着している。各取付フランジ１３，１３，１３は、図示省略の複数の取付ねじにねじ結合されるねじ孔を形成しており、底板２ｆの内底面（図７では上面）上に載置される。
【００２３】
各下部主脚６ｂ，７ｂ，８ｂは、その上面に、取付ねじの軸部を挿通する複数の挿通孔をそれぞれ形成しており、これら挿通孔に対応する位置にて底板２ｆにも挿通孔をそれぞれ形成している。
【００２４】
すなわち、各下部主脚６ｂ，７ｂ，８ｂの上面の下方側から上面の各挿通孔内に取付ねじの軸部を挿通し、さらに、底板２ｆの各挿通孔を挿通して取付フランジ１３のねじ孔にねじ込むことにより、各上部主脚６ａ，７ａ，８ａに、各下部主脚６ｂ，７ｂ，８ｂを一体的に固着している。各下部主脚６ｂ，７ｂ，８ｂの底面には、固定脚１４をそれぞれ配設している。各固定脚１４は、その底部に、例えばコンクリート製の据付面に埋設されたアンカーボルトのねじ軸部を挿通させる挿通孔を形成し、このアンカーボルトのねじ軸部に締結ナットを締結することにより、据付面に固定され、据え付けられる。
【００２５】
各補助脚９，１０，１１も、主脚６，７，８と同様に、底板２ｆよりも図中上側のＬ形の型鋼よりなり、取付フランジ１３を有する上部補助脚９ａ，１０ａ，１１ａと、図中下側の横断面コ字形で側方の１面が開口した下部補助脚９ｂ，１０ｂ，１１ｂとを有し、図示省略の取付ねじにより一体的に同心状に固着するようになっている。
【００２６】
図１は、これら３本の主脚６，７，８と、３本の補助脚９，１０，１１との位置関係を示す貯湯タンクユニット１の底面図である。
【００２７】
図１に示すように、３本の主脚６，７，８は、その下部主脚６ｂ，７ｂ，８ｂの底面の中心ｏａ，ｏｂ，ｏｃ同士を直線により順次結んだときに、三角形ｔをなすように配置されている。すなわち、３本の主脚６，７，８は、筐体２の正面板２ａ側の幅方向中部に下部主脚６ｂの底面中心ｏａが位置し、下部主脚７ｂ，８ｂの底面中心ｏｂ，ｏｃが背面側２ｄ側の両端側、すなわち、左右一対の側板２ｂ，２ｃ側に位置するように配置されている。この三角形ｔは、底板２ｆに垂直方向に投影された貯湯タンク３の外周面をなす円にほぼ内接する三角形であればよく、正三角形でもよい。すなわち、３本の主脚６，７，８は、その下部主脚６ｂ，７ｂ，８ｂの底面中心ｏａ，ｏｂ，ｏｃがこれら底面中心ｏａ，ｏｂ，ｏｃ同士を直線により結んだときに形成される正三角の各頂点に位置するように配置される。
【００２８】
そして、３本の補助脚９，１０，１１は、その各下部補助脚９ｂ，１０ｂ，１１ｂの底面中心ｏｄ，ｏｅ，ｏｆが三角形ｔの外側に位置し、かつ三角形ｔの各辺ａ，ｂ，ｃをそれぞれ２等分し、垂直方向に交差する垂直２等分線ｄ，ｅ，ｆ上に位置するように配設されている。なお、図１中、ｇは底板２ｆの強度を補強する補強リブである。また、図１〜図３，図８中、符号１５は、貯湯タンクユニット１内の給水管や給湯管等の配管に接続される配管接続部であり、外部の給水管や給湯管等と接続されるようになっている。
【００２９】
また、図４，図５に示すように、各補助脚９，１０，１１は、その底板２ｆよりも下方へ突出する各下部補助脚９ｂ，１０ｂ，１１ｂの突出長さを、各下部主脚６ｂ，７ｂ，８ｂの突出長さよりも所定長α短く形成している。
【００３０】
したがって、このように構成された貯湯タンクユニット１を、荷扱い時や据付面への据付時等により、自立させたときには、３本の主脚６〜８が自立面や据付面にそれぞれ接面するので、仮に自立面や据付面が傾斜している場合でも自立させることができる。
【００３１】
そして、このような貯湯タンクユニット１の自立時に、例えば３本の支持脚６〜８の中間部方向、すなわち、上記三角形ｔのいずれか１辺方向に変位荷重を受けて貯湯タンクユニット１が万一傾動した場合には、その変位荷重が負荷される側にある補助脚９，１０，１１の少なくともいずれかが自立面や据付面に接面し、貯湯タンクユニット１を支持するので、その転倒の防止を図ることができる。すなわち、貯湯タンクユニット１の揺れの方向が予測できない地震時における貯湯タンクユニット１の転倒防止を図ることができる。
【００３２】
さらに、各補助脚９，１０，１１は、その上部補助脚９ａ，１０ａ，１１ａの一端（上端）を貯湯タンク３の下部外周面に固着しており、筐体２の底板２ｆのみに固着されているのではないので、この底板２ｆおよびこの底板２ｆに組み付けられている正面板２ａ、側板２ｂ，２ｃ、背面板２ｄおよび天板２ｅ等の筐体２の変形の防止または低減を図ることができる。
【００３３】
また、各下部補助脚９ｂ，１０ｂ，１１ｂの長さは、下部主脚６ｂ，７ｂ，８ｂの長さよりも短いので、現地での据付作業時の平坦度出しの支障にならない。
【００３４】
さらに、貯湯タンクユニット１では、その正面側の底板２ｆの幅方向中間部に主脚６を配設する一方、背面側の底板２ｆの幅方向両側には左右の主脚７，８を配設し、これら主脚６〜８同士を結ぶ三角形のほぼ中心に、貯湯タンク３の重心を配置しているので、貯湯タンクユニット１の重心を安定させることができる。これにより、貯湯タンクユニット１の転倒の虞をさらに低減できる。また、筐体２の正面側の底板２ｆには、その幅方向中間部に配設された主脚６の１本しか設けていないので、筐体２の正面側に設けた配管接続部１５に接続される図示省略の配管の引き回しの際に主脚６が干渉するのを低減できる。このために、配管引き回しの作業性の向上を図ることができる。
【００３５】
なお、貯湯タンクユニット１の据付完了後には、補助脚９，１０，１１の底面と自立面との間にスペーサを介在させる等により、補助脚と自立面間の隙間をなくするようにしてもよく、これによれば、貯湯タンクユニットの自立をさらに安定させることができる。
【００３６】
（第２の実施形態）
図８は第２の実施形態に係る貯湯タンクユニット１Ａの底面を示す。この図８に示すように貯湯タンクユニット１Ａは、上記第１の実施形態に係る貯湯タンクユニット１の背面板２ｄ側に設けた補助脚１０を省略した点に主な特徴を有する。
【００３７】
すなわち、貯湯タンクユニット１Ａは、図８に示すように、底板２ｆに垂直方向に投影された貯湯タンク３の外周面をなす円Ｓに内接する五角形Ｑの各頂点に、３本の主脚６〜８と２本の補助脚９，１１の各底面中心ｏａ，ｏｄ，ｏｂ，ｏｃ，ｏｆが一致するように３本の主脚６〜８と、２本の補助脚９，１１を配設している。
【００３８】
すなわち、通常、貯湯タンクユニット１Ａは、その据付時には、背面板２ｄ側を、家屋の外壁面に接するように配置する場合が多い。この場合は、貯湯タンクユニット１Ａが地震等により家屋の外壁面側に傾動しても、その傾動は家屋の外壁面により支持されるので、転倒を防止できるためである。これにより、第１の実施形態の効果に加えて、背面板２ｄ側の補助脚１０を削除してコストの低減を図ることができる。
【００３９】
（第３の実施形態）
図９は第３の実施形態に係る貯湯タンクユニット１Ｂの要部拡大図である。図９に示すようにこの貯湯タンクユニット１Ｂは、上記第１，第２の実施形態における下部補助脚９ｂ〜１１ｂの長さを調節可能に構成した点に特徴がある。
【００４０】
すなわち、補助脚９〜１１は、その下部補助脚９ｂ〜１１ｂを、図９中、上部の横断面形状がコ字状の無底本体部１６と、図９中下部の有底コ字状の可動底部１７とに分割し、本体部１６の図９中下端部に、可動底部１７を、軸方向に摺動可能に外嵌させている。
【００４１】
本体部１６は、その外嵌部におけるコ字状構造の一対の対向側面に、複数の止めボルト１８，１８のねじ部にねじ結合されるねじ孔（図示省略）を図９中、左右方向に並設している。
【００４２】
一方、可動底部１７は、その外嵌部におけるコ字状構造の一対の対向側面に、各止めボルト１８のねじ部の直径よりも若干大きく、かつ頭部１８ａよりも小さく、軸方向（図９中縦方向）に長い複数の長孔１９，１９をそれぞれ形成している。
【００４３】
したがって、可動底部１７の高さ（突出長）を適宜調節してから、止めボルト１８，１８を堅く締め付け、本体部１６に固定することにより、可動底部１７の高さを適宜調節できる。
【００４４】
このために、貯湯タンクユニット１Ｂの据付が完了するまでは、可動底部１７を上方に位置させて補助脚９〜１１の底板２ｆからの突出長さを、３本の主脚６〜８の突出長さよりも小さくし、その荷扱い時や据付時等において、自立させる場合には、まず、３本の主脚６〜８により自立面に接面させる。そして、貯湯タンクユニット１Ｂの据付が完了したら、補助脚９〜１１の各可動底部１７の高さ（突出長）をそれぞれ調節して、これら可動底部１７の底面を自立面に接面させる。
【００４５】
これにより、３本の主脚６〜８と、２本または３本の補助脚９〜１１の全部を自立面にそれぞれ接面させることができる。このために、これら主脚６〜８と補助脚９〜１１により貯湯タンクユニット１Ｂを支持することができるので、その支持強度の向上を図ることができるうえに、転倒防止効果のさらなる向上を図ることができる。なお、上記各実施形態ではヒートポンプ給湯機の貯湯タンクユニットについて説明したが、本発明はこれに限定されるものではなく、電気温水器に適用してもよい。
【００４６】
以上のように、各実施形態の貯湯タンクユニットは、筐体の下面から下方へ突出する長さが主脚の突出長さよりも小さく形成され、かつ３本の主脚を結んで形成される三角形の外側に位置する補助脚を備えたので、据付作業時の平坦度出しに支障を与えることなしに、貯湯タンクユニットの転倒防止を図ることができる。
【００４７】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００４８】
１，１Ａ，１Ｂ…貯湯タンクユニット、２…筐体、３…貯湯タンク、６，７，８…主脚、６ａ，７ａ，８ａ…上部主脚、６ｂ，７ｂ，８ｂ…下部主脚、９，１０，１１…補助脚、９ａ，１０ａ，１１ａ…上部補助脚、９ｂ，１０ｂ，１１ｂ…下部補助脚、１７…可動底部、１８…止めボルト、１９…長孔、ｄ，ｅ，ｆ…垂直２等分線、ｏａ，ｏｂ，ｏｃ…下部主脚６ｂ，７ｂ，８ｂの底面中心、ｏｄ，ｏｅ，ｏｆ…下部補助脚９ｂ，１０ｂ，１１ｂの底面中心、ｔ…三角形。
【図１】
0005759258.tif 000002
【図２】
0005759258.tif 000003
【図３】
0005759258.tif 000004
【図４】
0005759258.tif 000005
【図５】
0005759258.tif 000006
【図６】
0005759258.tif 000007
【図７】
0005759258.tif 000008
【図８】
0005759258.tif 000009
【図９】
0005759258.tif 000010